(57)【特許請求の範囲】
【請求項１】
遊技盤を枠体に固定する遊技盤固定機構において、
一端側が略円錐形状であり、側面に溝部を有する鍵部材と、
前記鍵部材の少なくとも一部を挿入可能な挿入穴を有する主部材と、
前記主部材の側面側に配置され、前記鍵部材が前記挿入穴に挿入された際に前記溝部と係合可能な係合部を有する固定部材と、
前記固定部材の側面を移動し、前記溝部と前記係合部とが係合した場合に前記係合部が移動することを規制する規制部材と、
を備えた、
遊技盤固定機構。
【請求項２】
前記係合部は、前記挿入穴の底面方向に緩衝溝を有し、前記鍵部材が前記挿入穴に挿入されると、前記鍵部材の一端側によって押圧されて前記緩衝溝の幅が狭まり、前記溝部が前記係合部と係合可能な係合位置に位置決めされると、前記鍵部材による前記緩衝溝の幅が復元することで前記溝部と係合する、
請求項１に記載の遊技盤固定機構。
【請求項３】
前記規制部材は、前記固定部材方向に突出した突出部を有し、
前記固定部材は、前記挿入穴の開口方向と同一方向が開いたＵ字形状であって、前記規制部材が前記係合位置に位置決めされると、前記Ｕ字形状内の間に挿入された前記突出部が離脱する方向に前記突出部を押圧する押圧部を有する、
請求項１又は２に記載の遊技盤固定機構。
【請求項４】
前記主部材は、前記挿入穴の開口端部に凸部を有し、
前記規制部材は、前記凸部と係合することで前記規制部材が前記主部材から脱落することを防止する脱落防止部を有する、
請求項１〜３のいずれか１項に記載の遊技盤固定機構。
【請求項５】
前記鍵部材、前記主部材、前記固定部材及び前記規制部材はいずれも樹脂製である、
請求項１〜４のいずれか１項に記載の遊技盤固定機構。
【請求項６】
請求項１〜５のいずれか１項に記載の遊技盤固定機構であって、
遊技領域を有する遊技盤に固定された前記固定部材に前記遊技盤を所定位置で着脱可能に収容する枠体に固定された前記鍵部材を挿入することで、前記遊技盤と前記枠体とを固定する、
遊技盤固定機構。
【請求項７】
遊技領域を有する遊技盤と、
前記遊技盤を所定位置で着脱可能に収容する枠体と、
請求項１〜６のいずれか１項に記載の遊技盤固定機構と、
を備えた、
遊技機。
【発明の詳細な説明】
【技術分野】
【０００１】
本発明は、遊技盤固定機構、遊技機及び遊技盤の固定方法に関する。
【背景技術】
【０００２】
従来、枠体に遊技盤を取り付ける際に、着脱作業を容易化した遊技機の開閉着脱機構が知られている。例えば、特許文献１には、遊技盤を収容する収容枠に配設された固定ヒンジ部材と、遊技盤に配設された固定ヒンジ部材のヒンジピンと係脱および係合状態で相対揺動が可能な揺動ヒンジ部材と、収容枠に枠体内方に突出して配設され前後方向に弾性変形可能な押圧辺部を有する押さえ部材とを備えた開閉着脱機構が記載されている。この開閉着脱機構は、揺動ヒンジ部材が固定ヒンジ部材に係合されたときに押圧辺部が遊技盤の全面と係合して遊技盤の後方に付勢するように構成されている。
【先行技術文献】
【特許文献】
【０００３】
【特許文献１】特開２０１０−１６７３１９号公報
【発明の概要】
【発明が解決しようとする課題】
【０００４】
しかしながら、こうした開閉着脱機構では、遊技盤と収容枠にそれぞれ固定ヒンジ部材と揺動ヒンジ部材とを固定する必要があるという課題がある。また、着脱時にヒンジピンに係合させた状態で揺動させるという作業が必要であるという課題がある。
【０００５】
本発明は、このような課題に鑑みなされたものであり、着脱時の労力を低減しつつ、省スペースで取り付け可能な着脱機構及びこの固定機構を有する遊技機を提供することを主目的とする。
【課題を解決するための手段】
【０００６】
本発明は、上述の目的の少なくとも一つを達成するために以下の手段を採った。
【０００７】
本発明の遊技盤固定機構は、
遊技盤を枠体に固定する遊技盤固定機構において、
一端側が略円錐形状であり、側面に溝部を有する鍵部材と、
前記鍵部材の少なくとも一部を挿入可能な挿入穴を有する主部材と、
前記主部材の側面側に配置され、前記鍵部材が前記挿入穴に挿入された場合に前記溝部と係合可能な係合部を有する固定部材と、
前記固定部材の側面を移動し、前記溝部と前記係合部とが係合した際に前記係合部が前記固定部材から離れる方向に移動することを規制する規制部材と、
を備えたものである。
【０００８】
この遊技盤固定機構では、主部材に設けられた挿入穴に鍵部材の少なくとも一部が挿入されると、鍵部材の側面に設けられた溝部に主部材の側面側に配置された固定部材の係合部が係合する。このとき、規制部材が固定部材の表面を移動し、係合部が固定部材から離れる方向に移動することを規制する。こうすることにより、規制部材を固定部材の表面に沿って移動させるという小さな動きで溝部と係合部との係合状態が解除されることを未然に防止することができる。言い換えると、溝部を有する鍵部材と係合部を有する固定部材とを固定した状態に保つことができるため、挿入穴に鍵部材を挿入し、規制部材を固定部材の表面に沿って移動させるという小さな動きにより、簡単かつ省スペースで鍵部材を主部材に固定することができる。
【０００９】
本発明の遊技機固定機構において、前記係合部は、前記挿入穴の底面方向に緩衝溝を有し、前記鍵部材が前記挿入穴に挿入されると、前記鍵部材の一端側によって押圧されて前記緩衝溝の幅が狭まり、前記溝部が前記係合部と係合可能な係合位置に位置決めされると、前記鍵部材による前記緩衝溝の幅が復元することで前記溝部と係合するものとしてもよい。こうすることにより、鍵部材が固定されると緩衝溝の幅が復元するため、鍵部材が固定部材から脱落する可能性を未然に低減することができる。このように、緩衝溝の復元力を用いて鍵部材を固定部材に固定可能であるため、鍵部材を主軸に固定するために新たな操作を必要とせず、簡単な操作で固定部材に鍵部材を固定することができる。また、緩衝溝が挿入穴の開口端方向に設けられているため、開口端方向から係合部が押圧された場合には緩衝溝の幅が狭まるが、底辺方向から押圧された場合には、緩衝溝の幅が狭まることはない。こうすることにより、挿入穴にかぎ部材を挿入するという簡単な操作で固定部材に鍵部材を固定することができ、かつ、挿入穴に挿入された鍵部材が挿入穴から離脱する可能性を未然に低減することができる。
【００１０】
本発明の遊技盤固定機構において、前記規制部材は、前記固定部材方向に突出した突出部を有し、前記固定部材は、前記挿入穴の開口方向と同一方向が開いたＵ字形状であって、前記規制部材が前記係合位置に位置決めされると、前記Ｕ字形状内の間に挿入された前記突出部が離脱する方向に前記突出部を押圧する押圧部を有していてもよい。こうすれば、突出部を有する固定部材と押圧部を有する規制部材とが離間する方向に力がかかるため、係合部を有する固定部材と溝部を有する鍵部材との係合が解除されると、固定部材と規制部材とが離間する方向に押圧されることになる。このため、規制部材を主部材の表面に沿って挿入穴の表面方向に移動させる際に必要な力を低減させることができる。
【００１１】
本発明の遊技盤固定機構において、前記主部材は、前記挿入穴の開口端部に凸部を有し、前記規制部材は、前記凸部と係合することで前記規制部材が前記主部材から脱落することを防止する脱落防止部を有していてもよい。こうすれば、凸部と脱落防止部とが係合することで、押圧部によって突出部が押圧された際に、規制部材が主部から脱落する可能性を未然に低減することができる。
【００１２】
本発明の遊技盤固定機構において、前記鍵部材、前記主部材、前記固定部材及び前記規制部材はいずれも樹脂製であってもよい。こうすることにより、全ての部材を樹脂成形のみで製作できるため、異なる製法でそれぞれの部材を製作する場合と比較して、より製作時の労力を低減することができる。また、緩衝溝及び押圧部も樹脂製となるため、例えば、金属と比較して弾性が大きい樹脂を用いた場合には、緩衝溝及び押圧部の変形範囲が広くなり、より大きな効果を期待することができる。
【００１３】
本発明の遊技盤固定機構は、遊技領域を有する遊技盤に固定された前記固定部材に前記遊技盤を所定位置で着脱可能に収容する枠体に固定された前記鍵部材を挿入することで、前記遊技盤と前記枠体とを固定してもよい。こうすることにより、規制部材を固定部材の側面表面に沿って移動するという簡単な操作で、簡単かつ省スペースで鍵部材を主部材に固定することができる。
【００１４】
本発明の遊技機は、遊技領域を有する遊技盤と、前記遊技盤を所定位置で着脱可能に収容する枠体と、上述したいずれかの遊技盤固定機構と、を備えたものである。この遊技機では、遊技盤固定機構を備えるから、これと同じ効果、例えば、溝部を有する鍵部材と係合部を有する固定部材とを固定した状態に保つことができるため、規制部材を固定部材の側面表面に沿って移動するという簡単な操作で、固定部材に鍵部材を固定することができるという効果を得ることができる。
【図面の簡単な説明】
【００１５】
【図１】遊技盤固定機構１０の構成の概略を示す斜視図である。
【図２】遊技盤固定機構１０の構成の概略を示す分解斜視図である。
【図３】遊技盤固定機構１０の構成の概略を示す分解図である。
【図４】遊技機１２で遊技盤固定機構１０を使用する状態を示す説明図である。
【図５】ロックバネ４２の動きを説明するための説明図である。
【図６】Ｕ字ピン４４と固定部材規制部５６との位置関係を説明するための説明図である。
【発明を実施するための形態】
【００１６】
ここで、上記簡単に説明した図面に基づいて、本発明を実施するための形態の一例を説明するにあたり、本実施の形態の構成要素と本発明の構成要素との対応関係を明らかにする。本実施の形態の遊技盤固定機構１０が遊技盤固定機構に相当し、係止溝２２が溝部に相当し、ロックピン２０が鍵部材に相当し、ロックピン挿入穴３２が挿入穴に相当し、凸部３４が凸部に相当し、主軸３０が主部材に相当し、緩衝溝４２ｃが緩衝溝に相当し、ロックバネ４２が係合部に相当し、Ｕ字ピン４４が押圧部に相当し、固定部材４０が固定部材に相当し、固定部材規制部５６が突出部に相当し、係止爪５４が脱落防止部に相当し、解除リング５０が規制部材に相当し、遊技機１２が遊技機に相当し、遊技盤１４が遊技盤に相当し、枠体１６が枠体に相当する。なお、遊技盤固定機構１０の使用方法を説明することにより、本発明の遊技盤固定機構を用いた遊技盤の固定方法の一例も明らかにしている。
【００１７】
次に、図１及び図２を用いて、本発明の第一の実施の形態である遊技盤固定機構１０の構成を詳しく説明する。ここで、図１は遊技盤固定機構１０の構成の概略を示す斜視図であり、図２は、遊技盤固定機構１０の構成の概略を示す分解図である。この遊技盤固定機構１０は、図２に示すように、遊技盤１４に取り付けられる主軸３０（図３参照）と、主軸３０に挿入されるロックピン２０と、主軸３０に挿入されたロックピン２０をロックバネ４２で固定する固定部材４０と、ロックバネ４２の移動を規制する解除リング５０と、を備えており、図１に示すように、固定部材４０と解除リング５０とが一体化した状態の主軸３０にロックピン２０を挿入することで固定する。
【００１８】
ロックピン２０は、図２に示すように、合成樹脂によって成形された略円錐形状の部材であり、側面を囲う溝状の係止溝２２を有している。このロックピン２０の外径はロックピン挿入穴３２の内径と略同一の長さであるため、ロックピン２０をロックピン挿入穴３２に挿入することができる。また、係止溝２２は、ロックピン２０がロックピン挿入穴３２に挿入された際、後述するロックバネ４２と係合し、ロックピン２０を主軸３０に固定する。このとき、係止溝２２は、ロックピン２０の周囲を囲う溝状であるため、ロックピン２０をロックピン挿入穴３２に挿入するという簡単な動作で、ロックピン２０を所望の位置に位置決めすることができる。
【００１９】
主軸３０は、合成樹脂によって成形された筒状の部材であり、中心にロックピン２０を挿入可能なロックピン挿入穴３２を有し、ロックピン挿入穴３２の開口端側には、凸部３４が側面方向に形成されている。この主軸３０は、ロックピン２０を固定するためのガイド部材としての役割を有し、側面側に配置された固定部材４０及び解除リング５０と関連してロックピン２０を固定する。この凸部３４は、後述するロックバネ規制部５２と係合して（図３参照）、解除リング５０が主軸３０から脱落する可能性を低減する。
【００２０】
固定部材４０は、図２に示すように、合成樹脂によって成形された筒状の部材であり、固定部材４０の内径の長さと主軸３０の外径の長さとが略同一となるように成形されている。このため、主軸３０は固定部材４０の内側に嵌め込むことができる。この固定部材４０には、ロックピン２０を固定するロックバネ４２及び後述する係止爪５４を押圧するＵ字ピン４４をそれぞれ３つ有しており、それぞれ互いに隣接するロックバネ４２及びＵ字ピン４４は、固定部材４０の外周面に等間隔に配置されている。また、ロックバネ４２は、固定部材４０の内面方向に突出したロック部４２ａと、ロック部４２ａに連接する揺動部４２ｂとからなり、ロック部４２ａと揺動部４２ｂとの間には緩衝溝４２ｃが設けられている（図３参照）。Ｕ字ピン４４は、図２に示すように、一端側が連接する一対の突起部４４ａにより略Ｕ字形状に形成されている。また、Ｕ字ピン４４の他端側を突起部４４ａが互いに離間する方向に押圧すると、一端側を基点として互いに離間する方向に移動可能であるが、他端側を解放すると、元の状態に戻る。
【００２１】
解除リング５０は、図２に示すように、合成樹脂によって成形された筒状の部材であり、解除リング５０の内径の長さと固定部材４０の外径の長さが略同一となるように成形されている。このため、固定部材４０を解除リング５０の内側に嵌め込むことができる。この解除リング５０には、ロックバネ４２が解除リング５０の方向に移動することを規制するロックバネ規制部５２、解除リング５０が主軸３０から離脱することを防止する係止爪５４及び固定部材４０がロックピン挿入穴３２の開口方向に移動することを規制する固定部材規制部５６をそれぞれ３つ有しており、それぞれ互いに隣接するロックバネ規制部５２、係止爪５４及び固定部材規制部５６は、解除リング５０の内周面に等間隔で配置されている（図３参照）。また、ロックバネ規制部５２及び固定部材規制部５６は、いずれも内側方向に延伸された凸部であり、係止爪５４は、ロックピン挿入穴３２の開口方向に延伸された爪状の部材である。なお、ここで図３は、遊技盤固定機構１０の構成の概略を示す分解図であり、図３（Ａ）は、遊技盤固定機構１０の構成の概略を示す側面図であり、図３（Ｂ）は、図３（Ａ）のＡ−Ａ断面で切断した分解断面図である。
【００２２】
ここで、図４を用いて、遊技盤固定機構１０と遊技盤１４及び枠体１６の関係を明らかにし、遊技盤固定機構１０で遊技盤１４と枠体１６とを固定する固定方法について詳しく説明する。ここで図４は、遊技機１２で遊技盤固定機構１０を使用する状態を示す説明図であり、図４（Ａ）は、遊技機１２を正面から見た正面図、図４（Ｂ）は、遊技盤１４及び枠体１６を側面から見た側面図である。遊技盤固定機構１０は、図４（Ａ）に示すように、遊技盤１４の角付近にロックピン２０が固定されている。この部分は、通常遊技盤カバーの装飾によって正面からは視認されにくい部分であるため、遊戯者が遊戯を行うに際し、注意をひく可能性が少ない。一方、枠体１６に取り付けられた主軸３０は、正面から見た場合には、遊技盤１４の裏側に隠れるため、遊戯者が遊戯を行うに際し、注意をひくことはない。このように、遊技盤固定機構１０を用いることで、遊戯者に固定部分を意識させることなく、遊技盤１４を枠体１６に固定することができる。
【００２３】
また、遊技盤１４を枠体１６へ取り付ける際には、図４（Ｂ）に示すように、枠体１６を埋設された主軸３０に正面方向から遊技盤１４に取り付けられたロックピン２０を挿入する。このとき、ロックピン２０がロックピン挿入穴３２に挿入されて位置決めされることにより、遊技盤１４も所望の位置に位置決めされることになる。このため、枠体１６に遊技盤１４を取り付ける際の労力を低減しつつ、遊技盤１４を所望の位置に位置決めする労力も低減させることができる。なお、遊技盤１４を枠体１６から解放する際には、ロックピン２０を離脱すればよい。
【００２４】
次に、こうして構成された本実施の形態の遊技盤固定機構１０を用いて遊技盤を固定する固定方法について、図５及び図６を用いて更に詳しく説明する。ここで、図５は、遊技盤固定機構１０のロックバネ４２の動きを説明するための説明図であり、図５（Ａ）は、解除リング５０をロックバネ４２が移動可能な位置に位置決めした状態を示し、図５（Ｂ）は、ロックピン挿入穴３２にロックピン２０を挿入している途中の状態を示し、図５（Ｃ）は、係止溝２２とロックバネ４２とが係合している状態を示し、図５（Ｄ）は、ロックピン２０が解除リング５０のロックバネ規制部５２で規制された状態を示している。また、図６は、遊技盤固定機構１０のＵ字ピン４４と固定部材規制部５６との位置関係を説明するための説明図であり、図６（Ａ）は、Ｕ字ピン４４の一端側が開いている状態、図６（Ｂ）は、Ｕ字ピン４４の一端側が閉じている状態をそれぞれ示している。なお、図５及び図６では、説明の都合上、必要な部分のみを図面に表しており、関連の薄い部分については、一部省略して記載している。
【００２５】
遊技盤固定機構１０を用いて固定する際には、図５に示すように、解除リング６０をロックピン挿入穴３２の底面方向（図５中の右側方向）に主軸３０の側面に沿って移動し、解除リング５０をロックバネ４２が移動可能な位置に位置決めする（図５（Ａ）参照）。解除リング５０がロックバネ４２が移動可能な位置に位置決めされると、解除リング５０の移動に伴ってロックバネ規制部５２もロックピン挿入穴３２の底面方向に移動し、ロックバネ４２が外側方向に移動可能な状態となる。
【００２６】
ロックピン２０がロックピン挿入穴３２の側面に沿って挿入されると、図５（Ｂ）に示すように、ロックピン２０の一端側がロックバネ４２のロック部４２ａと当接する。この状態で更にロックピン２０をロックピン挿入穴３２に挿入すると、ロックピン２０の先端部の傾斜に沿ってロック部４２ａが押圧される。このとき、ロックバネ４２の揺動部４２ｂが外側方向に移動し、緩衝溝４２ｃが狭まる方向に移動する。このように、ロック部４２ａが回動しつつ移動することで、ロックピン２０を挿入することができる。
【００２７】
このとき、図６に示すように、解除リング５０が主軸３０の側面に沿ってロックピン挿入穴３２の底面方向に移動するに伴って、固定部材規制部５６がＵ字ピン４４の開口部に近づく。そして、解除リング５０がロックバネ４２が移動可能な位置に位置決めされたときには、固定部材規制部５６がＵ字ピン４４の開口に入り込む（図６（Ａ）参照）。このとき、固定部材規制部５６の横幅は、一対の突起部４４ａの間隔よりも若干大きく形成されているため、固定部材規制部５６が一対の突起部４４ａの間に入り込むと、固定部材規制部５６により突起部４４ａは互いに遠ざかる方向に押圧されることになる。
【００２８】
さて、図５に示すように、ロックピン２０がロックピン挿入穴３２に挿入され、ロック部４２ａが係止溝２２と対向する位置まで移動すると、揺動部４２ｂ及び緩衝溝４２ｃの復元力により、ロック部４２ａは元の位置に戻る。このとき、係止溝２２はロック部４２ａが埋没可能な大きさに形成されているため、ロック部４２ａが元の位置に戻ると、ロックバネ４２のロック部４２ａと係止溝２２とが係合する（図５（Ｃ）参照）。こうすることにより、ロックピン２０をロックバネ４２で固定することができる。ロックバネ４２は固定部材４０の外周位置に略均等の位置に設けられているため、ロックピン２０を周囲から均等に押さえることができる。こうすることにより、ロックピン２０がロックバネ４２で押圧されることにより進行方向が変わり、ロックピン２０がロックピン挿入穴３２の側面に衝突して破損する可能性を未然に低減することができる。
【００２９】
次に、解除リング５０を解放して自由に移動可能な状態とすると、Ｕ字ピン４４の復元力により、解除リング５０は主軸３０の側面に沿ってロックピン挿入穴３２の開口方向（図５中左方向）に移動し、解除リング５０のロックバネ規制部５２がロック部４２ａと対向する位置（本発明の係合位置に相当する位置）に位置決めされる（図５（Ｄ）及び図６（Ｂ）参照）。こうすることにより、ロックバネ４２がロックピン挿入穴３２から遠ざかる方向に移動することを規制することができる。言い換えると、ロックピン２０がロックピン挿入穴３２から離脱する可能性を未然に低減することができる。このとき、解除リング５０に設けられた係止爪５４が主軸３０に設けられた凸部３４に当接し、解除リング５０が解除位置よりもロックピン挿入穴３２の底面方向に移動することを規制する（図６（Ｂ）参照）。このため、解除リング５０が主軸３０から離脱することを未然に防止することができる。
【００３０】
一方、ロックピン２０を固定部材４０から取り外す際には、固定する場合と逆の操作を行えば良い。具体的には、解除リング５０を主軸３０の側面表面に沿ってロックピン挿入穴３２の底面方向に移動させ、ロックバネ４２が移動可能な位置に位置決めする。このとき、ロック部４２ａと係止溝２２との係合が解除可能な状態となるため、ロックピン２０をロックピン挿入穴３２の開口方向に移動させることにより、ロックピン２０をロックピン挿入穴３２から離脱させることができる。ロックピン２０をロックピン挿入穴３２から離脱させた後に解除リング５０を開放して自由に移動可能な状態とすれば、Ｕ字ピン４４の復元力により、解除リング５０のロックバネ規制部５２がロック部４２ａと対向する位置に位置決めされることになる。
【００３１】
以上詳述した本発明の実施の形態の一例である遊技盤固定機構１０によれば、主軸３０に設けられたロックピン挿入穴３２にロックピン２０が挿入されると、ロックピン２０の側面に設けられた係止溝２２に主軸３０の側面に配置された固定部材４０のロックバネ４２が係合する。このとき、解除リング５０が固定部材４０の側面に沿って移動し、ロックバネ４２が固定部材４０から離れる方向に移動することを規制するため、係止溝２２とロックバネ４２との係合状態が解除されることを未然に防止することができる。言い換えると、係止溝２２を有するロックピン２０とロックバネ４２を有する固定部材４０とを固定した状態に保つことができるため、ロックピン挿入穴３２にロックピン２０を挿入するという簡単な操作で、主軸３０にロックピン２０を固定することができる。
【００３２】
また、ロックピン２０をロックピン挿入穴３２に挿入する際には、揺動部４２ｂが外側に移動すると共に緩衝溝４２ｃの幅が狭ってロックピン２０をロックピン挿入穴３２に挿入可能な状態となり、ロックピン２０が所定の位置まで挿入されると、揺動部４２ｂ及び緩衝溝４２ｃが復元してロック部４２ａと係止溝２２とが係合する。このように揺動部４２ｂ及び緩衝溝４２ｃの復元力によってロックピン２０が主軸３０に固定されるため、ロックピン２０を固定する際に新たな操作を必要とせず、簡単な操作で主軸３０にロックピン２０を固定することができる。
【００３３】
更に、解除リング５０が開放位置に位置決めされると、解除リング５０の内側に設けられた固定部材規制部５６が固定部材４０に設けられたＵ字ピン４４の突起部４４ａが互いに遠ざかる方向に移動して挿入される。このため、Ｕ字ピン４４の復元力により、解除リング５０がＵ字ピン４４から離脱する方向に押圧されることになり、解除リング５０を主軸３０の表面に沿って移動させる際の労力を低減させることができる。
【００３４】
更にまた、主軸３０には凸部３４が設けられており、解除リング５０が固定位置に位置決めされる際には、解除リング５０に設けられている係止爪５４と係合するため、解除リング５０が主軸３０から脱落する可能性を未然に低減することができる。
【００３５】
そして、ロックピン２０、主軸３０、固定部材４０及び解除リング５０はいずれも樹脂製であるため、異なる素材で作成する場合と比較して、製造時の労力を低減することができる。また、この場合には、緩衝溝４２ｃ及びＵ字ピン４４も樹脂製であるため、例えば、金属と比較して弾性が大きい樹脂を用いた場合には、緩衝溝４２ｃ及びＵ字ピン４４が変形する変形範囲が広くなり、金属製の場合と比較して、より効果が大きい。
【００３６】
なお、本発明は上述した実施形態に何ら限定されることはなく、本発明の技術的範囲に属する限り種々の態様で実施し得ることはいうまでもない。
【００３７】
例えば、上述した実施の形態では、遊技盤１４の角付近にロックピン２０が固定され、枠体１６に主軸３０が固定されているものとしたが、枠体１６に解除リング５０を固定してもよい。こうすれば、遊技盤１４を枠体に外す際に遊技盤１４と共にロックピン２０をロックピン挿入穴３２開口方向に移動させると、ロックピン２０の移動に伴って主軸３０も同じ方向に移動することになる。こうすることにより、相対的に解除リング５０がロックピン挿入穴３２の底面方向に移動することになるため、上述したロックバネ４２が移動可能な位置に解除リング５０が位置決めされることになる。このため、遊技盤１４を移動させるという簡単な操作で固定状態を解除することができる。また、解除リング５０を動かす必要が無いため、遊技盤固定機構１０を解除リング５０が操作できない位置に配置することもできる。言い換えると、遊技盤固定機構１０の配置の自由度を向上させることができる。
【００３８】
上述した実施の形態では、遊技盤１４の角付近に主軸３０が固定され、枠体１６にロックピン２０が固定されているものとしたが、遊技盤１４の角付近にロックピン２０が固定され、枠体１６に主軸３０が固定されていても良い。この場合も、上述した実施の形態と同様の効果を得ることができる。
【００３９】
上述した実施の形態では、遊技盤１４の角付近にロックピン２０が固定されているものとしたが、遊技盤１４にロックピン２０の一部が貫通可能な貫通孔を有し、枠体１６とこの貫通孔に挿入したロックピン２０とで遊技盤１４を挟み込むようにして遊技盤１４を枠体に固定しても良い。こうすれば、遊技盤１４にロックピン２０を固定する労力を低減することができる。
【００４０】
上述した実施の形態では、遊技盤固定機構１０は樹脂製であるものとしたが、遊技盤固定機構１０は金属製であってもよい。この場合も、上述した実施の形態と同様の効果を得ることができる。
【産業上の利用可能性】
【００４１】
上述した実施の形態で示すように、遊技機分野、特に遊技盤を枠体に固定する固定機構として利用することができる。
【符号の説明】
【００４２】
１０…遊技盤固定機構、１２…遊技機、１４…遊技盤、１６…枠体、２０…ロックピン、２２…係止溝、３０…主軸、３２…ロックピン挿入穴、３４…凸部、４０…固定部材、４２…ロックバネ、４２ａ…ロック部、４２ｂ…揺動部、４２ｃ…緩衝溝、４４…Ｕ字ピン、４４ａ…突起部、５０…解除リング、５２…ロックバネ規制部、５４…係止爪、５６…固定部材規制部、６０…解除リング。
【図１】
0005749532.tif 000002
【図２】
0005749532.tif 000003
【図３】
0005749532.tif 000004
【図４】
0005749532.tif 000005
【図５】
0005749532.tif 000006
【図６】
0005749532.tif 000007